(57)【要約】【課題】夜間や経年劣化後でも電柱番号が認識し易く、取り替え費用を削減できる情報表示札を提供すること。【解決手段】電柱に固定される情報表示札であって、一方の面が電柱に面し、黒発色する第１の板状体２と、この第１の板状体２の他方の面に重ねられ、白発色する第２の板状体３とを備え、第２の板状体３には、外形により所定の意味を表す貫通部３１が形成され、第１の板状体２には、貫通部３１の内部において、光を発する夜光塗料層２２と、光を反射する反射材２１と、が形成されることを特徴とする情報表示札１。【選択図】図１
2007292884.tif 000002
【特許請求の範囲】
【請求項１】
電柱に固定される情報表示札であって、
一方の面が前記電柱に面し、黒発色する第１の板状体と、
この第１の板状体の他方の面に重ねられ、白発色する第２の板状体とを備え、
前記第２の板状体には、外形により所定の意味を表す貫通部が形成され、
前記第１の板状体には、前記貫通部の内部において、光を発する発光層と、光を反射する反射層と、が形成されることを特徴とする情報表示札。
【請求項２】
電流が流されることで、前記反射層を照射する発光手段と、
前記発光手段に電流を流す蓄電池と、を備えることを特徴とする請求項１に記載の情報表示札。
【請求項３】
所定範囲の赤外線量の変化を検知する検知手段と、
前記検知手段の検知に応じて、前記発光手段に電流が流れる状態と電流が流れない状態とを切り替える制御手段と、
人の操作に応じて、前記発光手段に電流が流れる状態と電流が流れない状態とを切り替える操作手段と、を備えることを特徴とする請求項２に記載の情報表示札。
【請求項４】
時間を計測するタイマ手段と、
前記制御手段は、前記タイマ手段の計測した所定時間に応じて、前記発光手段に電流が流れる状態と電流が流れない状態とを切り替えることを特徴とする請求項３に記載の情報表示札。
【発明の詳細な説明】
【技術分野】
【０００１】
本発明は、情報表示札に関し、詳しくは、電柱に固定される積層構造の情報表示札に関する。
【背景技術】
【０００２】
従来より、電力会社や電話会社が所有する電柱には、電柱を所有する会社名や電柱番号が表された情報表示札が取り付けられている。この情報表示札は、金属板或いは樹脂板で形成される。また、情報表示札に表された電柱を所有する会社名や電柱番号は、これらの板の表面にアクリル系塗料によって表される。
【０００３】
しかし、電柱を所有する会社名や電柱番号を表すアクリル系塗料は、見栄えや視認性が悪いうえに耐候性や耐擦過性が劣る。よって、アクリル系塗料の経年劣化により、アクリル系塗料により表された電柱を所有する会社名や電柱番号は、擦れ認識できなくなるおそれがあった。
【０００４】
ところで、情報表示札に表された電柱番号は、電柱を所有する会社が電柱を維持管理するために用いられる。例えば、電柱に取り付けられた電気設備が故障したときは、電話で電力会社の営業所へ連絡してもらう。このとき、故障した電気設備が設けられている場所を特定するための大きな目印がなければ、電力会社の営業所は、故障した電気設備が取り付けられている電柱の電柱番号を伝えてもらう方法で、その場所の特定を行っている。
【０００５】
よって、電柱の電柱番号が擦れ認識できないと、電柱番号を伝えてもらうことができず、その場所を特定できないおそれがあるので、このような電気設備の故障の連絡を受ける場合は、電柱の電柱番号がはっきり見えた方がよい。
そこで、情報表示札形状の樹脂板にレーザーマーカーによりレーザー光線を照射して樹脂板の表面を炭化或いは発泡させることにより、電柱番号と電柱保有業者の社標等を表した情報表示札が提案されている（特許文献１参照）。
この特許文献１の情報表示札によれば、樹脂板の表面を炭化させているので、経年劣化により情報表示札の表面に表された電柱番号が擦れ、電柱番号が認識できなくなることを防止できる。
【特許文献１】特開２００２−２７８４６５号公報
【発明の開示】
【発明が解決しようとする課題】
【０００６】
しかしながら、特許文献１の情報表示札は、樹脂板の表面を炭化させただけなので、夜間に電柱番号を認識することは困難である。例えば、昼間であれば、車輌に乗車したまま電柱番号が認識できるものの、夜間では、車輌から降車して情報表示札の極近くまで接近して確認する必要がある。
また、樹脂板の炭化させていない部分には、経年劣化により多数のひびが入る。このひびに排気ガスや埃が蓄積することにより、樹脂板の炭化させていない部分は、黒くなる。樹脂板の炭化させていない部分が黒くなると、炭化させた部分とのコントラストが低くなり、情報表示札をライトで照らしたとしても、電柱番号を認識することは困難である。
さらに、このように電柱番号を認識することが困難となった情報表示札は、取り替える必要があり、この電柱番号の取り替え費用は、多大なものとなっている。
【０００７】
本発明は、夜間や経年劣化後でも電柱番号が認識し易く、取り替え費用を削減できる情報表示札を提供することを目的とする。
【課題を解決するための手段】
【０００８】
（１）電柱（例えば、実施の形態における電柱１００）に固定される情報表示札であって、一方の面が前記電柱に面し、黒発色する第１の板状体（例えば、実施の形態における第１の板状体２）と、この第１の板状体の他方の面に重ねられ、白発色する第２の板状体（例えば、実施の形態における第２の板状体３）とを備え、前記第２の板状体には、外形により所定の意味を表す貫通部（例えば、実施の形態における貫通部３１）が形成され、前記第１の板状体には、前記貫通部の内部において、光を発する発光層（例えば、実施の形態における夜光塗料層２２）と、光を反射する反射層（例えば、実施の形態における反射材２１）と、が形成されることを特徴とする情報表示札（例えば、実施の形態における情報表示札１）。
【０００９】
（１）の発明によれば、一方の面が電柱に面し、黒発色する第１の板状体、及びこの第１の板状体の他方の面に重ねられ、白発色する第２の板状体を備える。第２の板状体には、外形により所定の意味を表す貫通部が形成され、第１の板状体には、貫通部の内部において、光を発する発光層と、光を反射する反射層と、が形成される。
このように、黒発色する第１の板状体と、白発色する第２の板状体とを重ね、第２の板状体には、外形により所定の意味を表す貫通部を形成したことで、第２の板状体の貫通部には、第１の板状体の黒発色が表れ、第２の板状体の白発色との明度の差が鮮明になる。
したがって、例えば、貫通部の形状を所定の文字とすることで、この所定の文字が見易くなる。
【００１０】
また、第１の板状体には、貫通部の内部に、光を発する発光層と、光を反射する反射層とを形成したので、夜間のように光が当たらず、明度の差が認識できない場合や第２の板状体が経年劣化による汚れやひびにより、鮮明に白発色しなくなった場合でも、発光層の発する光により貫通部の外形を認識できる。また、光を当てることで、反射層の反射により貫通部の外形を認識できる。
したがって、夜間や経年劣化後でも情報表示札の電柱番号が認識し易くなる。
【００１１】
また、情報表示札に表された文字が認識できなくなると、情報表示札を交換する必要がある。一方、情報表示札は、大量の電柱にそれぞれ取り付けられるので、情報表示札の文字を認識できる期間が短いと、情報表示札の取り替え費用は、莫大なものとなる。
したがって、発光層と反射層とを設けたことで、第２の板状体が経年劣化による汚れやひびにより、鮮明に白発色しなくなった場合でも、貫通部の外形を認識できるので、情報表示札の取り替え費用を削減できる。
【００１２】
（２）  電流が流されることで、前記反射層を照射する発光手段（例えば、実施の形態におけるライト７０）と、前記発光手段に電流を流す蓄電池（例えば、実施の形態における太陽電池６０）と、を備えることを特徴とする（１）に記載の情報表示札。
【００１３】
ここで、蓄電池としては、太陽電池、風力発電装置を備えた蓄電池、鉛蓄電池、ニッケル水素蓄電池、及びアルカリ蓄電池が挙げられる。
【００１４】
（２）の発明によれば、反射層を照射する発光手段、及び発光手段に電流を流す蓄電池を備える。
これにより、蓄電池による電流により発光手段で反射層を照射できる。
したがって、夜間のように光が当たらない場合でも、懐中電灯を用いることなく、貫通部の外形を認識できる。また、蓄電池に太陽電池や風力発電装置を備えた蓄電池を用いることで、発電のために二酸化炭素を排出することがなく、地球環境に配慮できる。
【００１５】
（３）  所定範囲の赤外線量の変化を検知する検知手段（例えば、実施の形態におけるセンサ８０）と、前記検知手段の検知に応じて、前記発光手段に電流が流れる状態と電流が流れない状態とを切り替える制御手段（例えば、実施の形態における制御手段１１０）と、人の操作に応じて、前記発光手段に電流が流れる状態と電流が流れない状態とを切り替える操作手段（例えば、実施の形態におけるスイッチ９０）と、を備えることを特徴とする（２）に記載の情報表示札。
【００１６】
（３）の発明によれば、所定範囲の赤外線量の変化を検知する検知手段、この検知手段の検知に応じて、発光手段に電流が流れる状態と電流が流れない状態とを切り替える制御手段、及び発光手段に電流が流れる状態と電流が流れない状態とを切り替える操作手段を備える。
これにより、情報表示札に人が近づいた場合、又は操作手段が操作された場合に発光手段に電流を流し、反射層を照射することができる。
したがって、人が近づいたとき、又は人により操作されたときだけ発光手段に反射層を照射させることができるので、発光手段の消耗を抑えることができる。
【００１７】
（４）  時間を計測するタイマ手段（例えば、実施の形態におけるタイマ手段１１３）と、前記制御手段は、前記タイマ手段の計測した所定時間に応じて、前記発光手段に電流が流れる状態と電流が流れない状態とを切り替えることを特徴とする（３）に記載の情報表示札。
【００１８】
（４）の発明によれば、タイマ手段、及びタイマ手段の計測した所定時間に応じて、前記発光手段に電流が流れる状態と電流が流れない状態とを切り替える制御手段を備える。
これにより、タイマ手段の計測した所定時間に応じて、発光手段に反射層を照射させ、又は照射させないことができる。
したがって、夜間のみ発光手段に反射層を照射させることや、所定時間のみ発光手段に反射層を照射させることができるので、発光手段の消耗を抑えることができる。
【００１９】
なお、前記第１の板状体及び前記第２の板状体には、ビス又は／及び釘が挿通される貫通孔（例えば、実施の形態における貫通孔４ａ、４ｂ）と、前記第１の板状体及び前記第２の板状体を前記電柱に固定する固定バンドを挿通する一対のバンド孔（例えば、実施の形態におけるバンド孔５）と、が形成されることを特徴とする請求項（１）から（４）に記載の情報表示札とすることができる。
【００２０】
このように、ビス又は／及び釘が挿通される貫通孔、及び第１の板状体及び第２の板状体を電柱に固定する固定バンドを挿通する一対のバンド孔を形成することで、ビス、釘、及び固定バンドのいずれかを用いて、第１の板状体及び第２の板状体を電柱に固定できる。
したがって、電柱が木製である場合やコンクリート製である場合などいずれの場合でも、第１の板状体及び第２の板状体を電柱に固定できる。
【発明の効果】
【００２１】
本発明によれば、一方の面が電柱に面し、黒発色する第１の板状体、及びこの第１の板状体の他方の面に重ねられ、白発色する第２の板状体を備える。第２の板状体には、外形により所定の意味を表す貫通部が形成され、第１の板状体には、貫通部の内部において、光を発する発光層と、光を反射する反射層と、が形成される。このように、黒発色する第１の板状体と、白発色する第２の板状体とを重ね、第２の板状体には、外形により所定の意味を表す貫通部を形成したことで、第２の板状体の貫通部には、第１の板状体の黒発色が表れ、第２の板状体の白発色との明度の差が鮮明になる。したがって、例えば、貫通部の形状を所定の文字とすることで、この所定の文字が見易くなる。
【００２２】
また、第１の板状体には、貫通部の内部に、光を発する発光層と、光を反射する反射層とを形成したので、夜間のように光が当たらず、明度の差が認識できない場合や第２の板状体が経年劣化による汚れやひびにより、鮮明に白発色しなくなった場合でも、発光層の発する光により貫通部の外形を認識できる。また、光を当てることで、反射層の反射により貫通部の外形を認識できる。したがって、夜間や経年劣化後でも情報表示札の電柱番号が認識し易くなる。
また、情報表示札に表された文字が認識できなくなると、情報表示札を交換する必要がある。一方、情報表示札は、大量の電柱にそれぞれ取り付けられるので、情報表示札の文字を認識できる期間が短いと、情報表示札の取り替え費用は、莫大なものとなる。したがって、発光層と反射層とを設けたことで、第２の板状体が経年劣化による汚れやひびにより、鮮明に白発色しなくなった場合でも、貫通部の外形を認識できるので、情報表示札の取り替え費用を削減できる。
【発明を実施するための最良の形態】
【００２３】
＜第１実施形態＞
図１は、本発明の第１実施形態に係る情報表示札１の正面図である。
情報表示札１は、一方の面が電柱に面し、黒発色する第１の板状体２と、この第１の板状体の他方の面に重ねられ、白発色する第２の板状体３とを備える。
【００２４】
第１の板状体２は、略長方形の板状体であり、四隅が丸められている。また、第１の板状体２の長辺方向に沿った側縁は、電柱に面する方向に湾曲されている。
また、第１の板状体２は、合成樹脂により形成されている。第１の板状体２は、長辺方向の寸法が２４０ｍｍであり、短辺方向の寸法が８０ｍｍであり、厚さが２．７ｍｍで形成されている。
【００２５】
第２の板状体３は、上記の第１の板状体２と略同形状で、同じ材質で形成されている。また、第２の板状体３は、上記の第１の板状体２と略同一の寸法であり、厚さが０．６ｍｍで形成されている。
また、この第２の板状体３には、外形により所定の文字（例えば、「トネリ」、「支」、「１７−５」）を表す貫通部３１が形成されている。
【００２６】
また、第１の板状体２及び第２の板状体３には、ビス又は／及び釘が挿通される貫通孔４ａ、４ｂと、電柱に固定するための固定バンドを挿通する一対のバンド孔５とが形成されている。
【００２７】
貫通孔４ａは、第１の板状体２及び第２の板状体３を貫通する円形状の孔として、第１の板状体２及び第２の板状体３の略中心に、形成されている。この貫通孔４ａは、第１の板状体２及び第２の板状体３の一方の短辺から他方の短辺側へ１４ｍｍ入った部分に中心を有し、内径が７ｍｍである。
【００２８】
貫通孔４ｂは、第１の板状体２及び第２の板状体３を貫通する溝として、第１の板状体２及び第２の板状体３の略中心に、形成されている。この貫通孔４ｂは、第１の板状体２及び第２の板状体３の他方の短辺から一方の短辺側へ２２ｍｍの長さで形成され、一方の短辺側の端部には、内径が７ｍｍの半円が形成されている。
【００２９】
バンド孔５は、第１の板状体２及び第２の板状体３を貫通する溝状の孔として、第１の板状体２及び第２の板状体３の長辺の側縁近傍に、４つ形成されている。このバンド孔５は、略長方形であり、長辺方向の寸法が１２ｍｍであり、短辺方向の寸法が３ｍｍである。また、バンド孔５は、第１の板状体２及び第２の板状体３の長辺方向の中心から７５ｍｍのところに、バンド孔５の中心がくるように設けられている。
【００３０】
図２は、第１実施形態に係る情報表示札１の断面図である。
第１の板状体２には、後述する第２の板状体３の貫通部３１の内部において、光を発する発光層としての夜光塗料層２２と、光を反射する反射層としての反射材２１とが形成される。
【００３１】
反射材２１は、第２の板状体３の貫通部３１の内部略中央に、所定の文字の形状（例えば、「トネリ」、「支」、「１７−５」）で形成されている。反射材２１の表面は、この反射材２１の表面に対して所定の角度で入射した光が入射した方向に光を返すように形成されている。また、反射材２１の側縁と第２の板状体３の貫通部３１の側縁との間は、略一定の間隔が設けられている。
【００３２】
夜光塗料層２２は、この反射材２１の側縁と第２の板状体３の貫通部３１の側縁との間の略一定の間隔に形成されている。夜光塗料層２２は、蓄光体を含有した透過性を有する塗料により形成されている。この蓄光体は、例えば、昼間に太陽光より光を吸収し、夜間に光を放光する。
【００３３】
図３は、第１実施形態に係る情報表示札１を電柱１００に取り付けた状態を示す斜視図である。
情報表示札１の文字は、以下のように表示される。
太陽光が情報表示札１に当たっている場合、第１の板状体２の黒色が第２の板状体３の所定の文字の形状に形成された貫通部３１から現れ、第２の板状体３の白色との明度の違いから、貫通部３１の外形である文字が認識される。また、太陽光が情報表示札１に当たっている間に、第１の板状体２の夜光塗料層２２は、太陽光より光を吸収する。情報表示札１に太陽光が当たらなくなると、反射材２１の側縁と第２の板状体３の貫通部３１の側縁との間に形成された夜光塗料層２２が、貫通部３１の外形である文字の形状で光を放光する。また、夜間であっても、懐中電灯や車のヘッドライトにより情報表示札１に光が当てられると、第１の板状体２の反射材２１によりこの光を反射する。反射材２１は、所定の文字の形状で形成されているので、この文字の形状で光を反射する。
【００３４】
本実施形態によれば、以下のような効果がある。
（１）一方の面が電柱１００に面し、黒発色する第１の板状体２、及びこの第１の板状体２の他方の面に重ねられ、白発色する第２の板状体３を備える。第２の板状体３には、外形により所定の意味を表す貫通部３１が形成され、第１の板状体２には、貫通部３１の内部において、光を発する夜光塗料層２２と、光を反射する反射材２１と、が形成される。
このように、黒発色する第１の板状体２と、白発色する第２の板状体３とを重ね、第２の板状体３には、外形により所定の意味を表す貫通部３１を形成したことで、第２の板状体３の貫通部３１には、第１の板状体２の黒発色が表れ、第２の板状体３の白発色との明度の差が鮮明になる。
したがって、例えば、貫通部３１の形状を所定の文字とすることで、この所定の文字が見易くなる。
【００３５】
また、第１の板状体２には、貫通部３１の内部に、光を発する夜光塗料層２２と、光を反射する反射材２１とを形成したので、夜間のように光が当たらず、明度の差が認識できない場合や第２の板状体３が経年劣化による汚れやひびにより、鮮明に白発色しなくなった場合でも、夜光塗料層２２の発する光により貫通部３１の外形を認識できる。また、光を当てることで、反射材２１の反射により貫通部３１の外形を認識できる。
したがって、夜間や経年劣化後でも情報表示札１の電柱番号が認識し易くなる。
【００３６】
また、情報表示札１に表された文字が認識できなくなると、情報表示札１を交換する必要がある。一方、情報表示札１は、大量の電柱にそれぞれ取り付けられるので、情報表示札１の文字を認識できる期間が短いと、情報表示札１の取り替え費用は、莫大なものとなる。
したがって、夜光塗料層２２と反射材２１とを設けたことで、第２の板状体が経年劣化による汚れやひびにより、鮮明に白発色しなくなった場合でも、貫通部３１の外形を認識できるので、情報表示札１の取り替え費用を削減できる。
【００３７】
さらに、ビス又は／及び釘が挿通される貫通孔４ａ、４ｂ、及び第１の板状体２及び第２の板状体３を電柱１００に固定する固定バンドを挿通する一対のバンド孔５を形成したので、ビス、釘、及び固定バンドのいずれかを用いて、第１の板状体２及び第２の板状体３を電柱に固定できる。
したがって、電柱１００が木製である場合やコンクリート製である場合などいずれの場合でも、第１の板状体２及び第２の板状体３を電柱に固定できる。
【００３８】
＜第２実施形態＞
以下の第２実施形態の説明にあたって、第１実施形態と同一構成要件については同一符号を付し、その説明を省略もしくは簡略化する。
図４は、本発明の第２実施形態に係る情報表示札１０の斜視図である。
【００３９】
第２実施形態の情報表示札１０は、太陽電池６０、発光手段としてのライト７０、検知手段としてのセンサ８０、操作手段としてのスイッチ９０、及び制御手段１１０を備える点で、第１実施形態の情報表示札１と異なる。
【００４０】
制御手段１１０、太陽電池６０及びライト７０は、第２の板状体３の長辺方向の一端側に設けられている。センサ８０及びスイッチ９０は、第２の板状体３の長辺方向の他端側に設けられている。
【００４１】
太陽電池６０は、情報表示札１０が電柱１００に取り付けられた状態で、上方を向くように設けられている。具体的には、第２の板状体３の表面から略水平方向に突出して設けられている。
【００４２】
ライト７０は、第１の板状体２の反射材２１に光を照射するように、太陽電池６０の下部に設けられている。
【００４３】
センサ８０は、情報表示札１０が電柱１００に取り付けられた状態で、情報表示札１０に接近した人を検知するように、情報表示札１０の下部に設けられている。情報表示札１０は、このセンサ８０が地盤面から２０００ｍｍから２５００ｍｍに位置するように、電柱１００に取り付けるのが好ましい。
【００４４】
スイッチ９０は、情報表示札１０が電柱１００に取り付けられた状態で、情報表示札１０に接近した成人が手を伸ばして届く位置に設けられている。具体的には、電柱１００に取り付けられた状態で、情報表示札１０の下部に設けられている。情報表示札１０は、このセンサ８０が地盤面から２０００ｍｍから２５００ｍｍに位置するように、電柱１００に取り付けるのが好ましい。
【００４５】
図５は、制御手段１１０のブロック図である。
制御手段１１０は、判断手段１１１、発光制御手段１１２、及びタイマ手段１１３を備える。
【００４６】
判断手段１１１は、後述するセンサ８０又はスイッチ９０からの所定の信号を受信したか否かを判断する。
【００４７】
発光制御手段１１２は、判断手段１１１の判断に基づき、後述するタイマ手段１１３で計測した所定時間だけ、後述するライト７０に電流を流す。
【００４８】
タイマ手段１１３は、所定時間の経過を計測し、所定時間の経過を示す所定時間経過信号を発光制御手段１１２に送信する。この所定時間は、例えば、発光制御手段１１２がライト７０に電流を流す時間とすることや、後述する太陽電池６０が太陽光を受けられない時間や、任意の時間とすることができる。
【００４９】
また、制御手段１１０には、太陽電池６０が接続されている。制御手段１１０の判断手段１１１には、センサ８０及びスイッチ９０が接続されている。制御手段１１０の発光制御手段１１２には、ライト７０が接続されている。
【００５０】
太陽電池６０は、太陽光により電気を発生させ、後述する制御手段１１０を介してライト７０に電流を流す。
【００５１】
センサ８０は、このセンサ８０が設けられた位置を中心として所定の距離の範囲の赤外線量の変化を検知する。具体的には、センサ８０に接近した人の存在を検知した場合、人感検知信号を制御手段１１０の判断手段１１１に送信する。制御手段１１０は、この人感検知信号に応じて、ライト７０に電流が流れる状態と電流が流れない状態とを切り替える。
【００５２】
スイッチ９０は、人の操作に応じて、スイッチ信号を制御手段１１０の判断手段１１１に送信する。制御手段１１０は、このスイッチ信号に応じて、ライト７０に電流が流れる状態と電流が流れない状態とを切り替える。
【００５３】
以上の制御手段１１０の動作について、図６のフローチャートを参照しながら説明する。
制御手段１１０の判断手段１１１は、センサ８０から人感検知信号を受信したか否かを判断する（ＳＴ１）。また、判断手段１１１は、センサ８０から人感検知信号を受信していない場合は、スイッチ９０からスイッチ信号を受信したか否かを判断する（ＳＴ２）。判断手段１１１は、人感検知信号又はスイッチ信号を受信したと判断した場合は、発光制御手段１１２によりライト７０に電流が流れる状態にする発光制御を行う（ＳＴ３）。その後、制御手段１１０は、所定の時間をタイマ手段１１３にセットし、所定時間の計測を開始する（ＳＴ４）。タイマ手段１１３は、所定時間が経過した場合は、所定時間経過信号を発光制御手段１１２に送信する（ＳＴ５）。発光制御手段１１２は、所定時間経過信号を受信した場合は、ライト７０に電流が流れない状態にする消灯制御を行う（ＳＴ６）。
【００５４】
図７は、第２実施形態に係る情報表示札１０を電柱１００に取り付けた状態を示す斜視図である。
情報表示札１０の文字は、以下のように表示される。
例えば、夜間において、情報表示札１０は、所定範囲に人が近づくと、センサ８０により人の存在を検知し、制御手段１１０（図５参照）の発光制御手段１１２（図５参照）によりライト７０に電流が流れる状態にする。すると、ライト７０により第１の板状体２の反射材２１に光が照射される。すると、反射材２１は、所定の文字の形状で形成されているので、この文字の形状で光を反射する。制御手段１１０のタイマ手段１１３（図５参照）により所定時間の経過が計測されると、発光制御手段１１２によりライト７０に電流が流れない状態にする。
【００５５】
本実施形態によれば、上述の第１実施形態の効果に加えて、以下のような効果がある。
【００５６】
（２）反射層を照射する発光手段、及び発光手段に電流を流す太陽電池を備える。
これにより、太陽電池による電流により発光手段で反射層を照射できる。
したがって、夜間のように光が当たらない場合でも、懐中電灯を用いることなく、貫通部の外形を認識できる。また、蓄電池に太陽電池を用いることで、発電のために二酸化炭素を排出することがなく、地球環境に配慮できる。
【００５７】
（３）所定範囲の赤外線量の変化を検知する検知手段、この検知手段の検知に応じて、発光手段に電流が流れる状態と電流が流れない状態とを切り替える制御手段、及び発光手段に電流が流れる状態と電流が流れない状態とを切り替える操作手段を備える。
これにより、情報表示札に人が近づいた場合、又は操作手段が操作された場合に発光手段に電流を流し、反射層を照射することができる。
したがって、人が近づいたとき、又は人により操作されたときだけ発光手段に反射層を照射させることができるので、発光手段の消耗を抑えることができる。
【００５８】
（４）タイマ手段、及びタイマ手段の計測した所定時間に応じて、前記発光手段に電流が流れる状態と電流が流れない状態とを切り替える制御手段を備える。
これにより、タイマ手段の計測した所定時間に応じて、発光手段に反射層を照射させ、又は照射させないことができる。
したがって、夜間のみ発光手段に反射層を照射させることや、所定時間のみ発光手段に反射層を照射させることができるので、発光手段の消耗を抑えることができる。
【００５９】
本発明は上記実施形態に限定されるものではなく、本発明の目的を達成できる範囲での変形、改良等は本発明に含まれるものである。
【００６０】
上記実施形態では、反射材２１を第２の板状体３の貫通部３１の内部略中央に設け、夜光塗料層２２を反射材２１の側縁と第２の板状体３の貫通部３１の側縁との間に形成したが、これに限らない。
例えば、第２の板状体３の貫通部３１の内部で、所定間隔に形成した反射材２１と夜光塗料層２２とを交互に設けることができる。
【図面の簡単な説明】
【００６１】
【図１】本発明の第１実施形態に係る情報表示札の正面図である。
【図２】第１実施形態に係る情報表示札の断面図である。
【図３】第１実施形態に係る情報表示札を電柱に取り付けた状態を示す斜視図である。
【図４】本発明の第２実施形態に係る情報表示札の斜視図である。
【図５】第２実施形態に係る制御手段のブロック図である。
【図６】第２実施形態に係る制御手段のフローチャートである。
【図７】第２実施形態に係る情報表示札を電柱に取り付けた状態を示す斜視図である。
【符号の説明】
【００６２】
１、１０    情報表示札
２    第１の板状体
３    第２の板状体
４ａ、４ｂ    貫通孔
５    バンド孔
２１  反射材
２２  夜光塗料層
３１  貫通部
６０  太陽電池
７０  ライト
８０  センサ
９０  スイッチ
１００  電柱
１１０  制御手段
１１３  タイマ手段
【図１】
2007292884.tif 000003
【図２】
2007292884.tif 000004
【図３】
2007292884.tif 000005
【図４】
2007292884.tif 000006
【図５】
2007292884.tif 000007
【図６】
2007292884.tif 000008
【図７】
2007292884.tif 000009